(57)【要約】【課題】  本発明は、外観上および装着感は通常の指輪と略等しくしながらも、サイズの変更が簡単に行うことができ、しかも、装飾体のみを交換することが可能な指輪を提供する。  【解決手段】  金属帯状材の一方の端部側２０と他方の端部側２２とが重なり合うようにリング状に形成され、両端部２０、２２が周方向に相対的に移動可能に設けられることにより、拡径、縮径可能に設けられたリング部２４と、リング部２４の両端側２０、２２の重合部２６を覆うようにしてリング部２４に着脱可能に設けられた台座部２８とを具備することを特徴とする指輪１０である。【選択図】        図５
2005185815.tif 000002
【特許請求の範囲】
【請求項１】
金属帯状材の一方の端部側と他方の端部側とが重なり合うようにリング状に形成され、該両端部が周方向に相対的に移動可能に設けられることにより、拡径、縮径可能に設けられたリング部と、
該リング部の前記両端側の重合部を覆うようにして前記リング部に着脱可能に設けられた台座部とを具備することを特徴とする指輪。
【請求項２】
前記一方の端部側と前記他方の端部側との間に、所要移動位置の複数位置で係止する係止部が設けられていることを特徴とする請求項１記載の指輪。
【請求項３】
前記一方の端部側と前記他方の端部側とが幅方向に重なり合うことを特徴とする請求項１または２に記載の指輪。
【請求項４】
前記一方の端部側と前記他方の端部側とが厚み方向に重なり合うことを特徴とする請求１または２に記載の指輪。
【請求項５】
前記台座部は、前記重合部の外表面側を覆う台板と、該台板の両縁部から前記重合部の内表面側に延出した後互いに対向する方向に曲折されて、前記台板との間で前記重合部を挟み込む曲折片とを具備することを特徴とする請求項１〜４のうちのいずれか一項記載の指輪。
【請求項６】
前記リング部の前記重合部以外の部分には前記重合部よりも幅狭な幅狭部が設けられ、前記台座部が前記両曲折片間の隙間に該幅狭部が進入するようにして前記リング部に当てがわれると共に、前記重合部方向にスライドさせることにより、前記台板と前記曲折片との間で前記重合部を挟み込むことを特徴とする請求項１〜５のうちのいずれか一項記載の指輪。
【請求項７】
前記曲折片は前記幅狭部に嵌合可能に形成されていて、前記台座部は前記幅狭部の位置のみにおいて前記リング部に対して着脱可能に形成されていることを特徴とする請求項６記載の指輪。
【請求項８】
前記曲折片と前記重合部との間に、前記台座部を固定する係合部が設けられていることを特徴とする請求項５〜７のうちのいずれか一項記載の指輪。
【請求項９】
前記係合部は、前記曲折片のうちの少なくとも一方の曲折片に設けられた切欠部と、前記重合部の内壁面側に設けられ、前記切欠部に進入するストッパとからなることを特徴とする請求項８記載の指輪。
【請求項１０】
前記ストッパは、前記重合部に一端側において回動可能に設けられた爪片と、該爪片の他端側を前記重合部の内壁面方向に付勢する付勢手段とを具備し、該付勢手段により前記爪片を前記切欠部に弾性的に係入させることを特徴とする請求項９記載の指輪。
【請求項１１】
前記付勢手段はシリコンゴムであることを特徴とする請求項１０記載の指輪。
【発明の詳細な説明】
【技術分野】
【０００１】
本発明は指輪に関し、より詳細には、指輪のサイズ変更可能かつ、指輪に取り付けられている宝石や真珠等の装飾体の交換が自在な指輪に関する。
【背景技術】
【０００２】
一般に指輪は、指に装着するリング部の径の異なる複数のサイズが設定されている。指輪を購入する際、所望の指輪のサイズが自分の指に適合しなかった場合には、その指輪の購入を諦めるか、自分の指に適合するようにサイズの調整加工が必要となり、指輪代金の他に加工費用が必要になることが多かった。
【０００３】
また、販売店側においては、同じデザインの指輪であっても複数種類のサイズを保有することが多く、保有している指輪が余剰在庫になるおそれがある。このため、販売店では指輪に余剰在庫のリスクを転嫁させることがあり、指輪の値段が高騰する原因になっている。
【０００４】
以上のような課題を解決するために、指輪のサイズ直しを購入者が自ら行うことが可能な指輪が特許文献１、特許文献２に開示されている。
特許文献１に記載の指輪は、リング状に形成された支持部材の内部にバネを配設し、バネの両端にボールチェーンを接続してリング状に形成した指輪である。これにより、指に指輪を装着すれば、指の太さに応じてバネが伸びて確実にフィットさせることが可能である。
特許文献２に記載の指輪は、自由端部を互いにラップさせて、リング状に形成したバネ部材のラップ長をストッパ部材で調整することにより、任意の内周長を設定することが可能である。
【特許文献１】特開平９−２３８７２０号公報
【特許文献２】特開平１０−１３７０１３号公報
【発明の開示】
【発明が解決しようとする課題】
【０００５】
ところで、特許文献１に記載の指輪は、装飾体側は通常の指輪と同様の外観を呈するが、手のひら側においては、ボールチェーンがあらわになっているため、見た目に優れないといった課題や、バネを弾性範囲外まで伸ばしてしまうことがあれば、バネが復元せず、細い指に適切に装着することができなくなってしまうといった課題がある。
【０００６】
また、特許文献２に記載の指輪は、リング部にリングサイズを規定するストッパが配設されており、ダイヤモンドや真珠といった装飾体がリング部と一体に取り付けられていないため、見た目の美しさに欠けるといった課題がある。
また、特許文献１、２に記載の指輪においては、共に、筒状の指輪とは装着感が異なり違和感を生じることや、装飾体のみを交換することはできないという課題もある。
【０００７】
そこで、本発明は、外観上および装着感は通常の指輪と略等しくしながらも、サイズの変更が簡単に行うことができ、しかも、装飾体のみを交換することが可能な指輪を提供することを目的としている。
【課題を解決するための手段】
【０００８】
本発明は、金属帯状材の一方の端部側と他方の端部側とが重なり合うようにリング状に形成され、該両端部が周方向に相対的に移動可能に設けられることにより、拡径、縮径可能に設けられたリング部と、該リング部の前記両端側の重合部を覆うようにして前記リング部に着脱可能に設けられた台座部とを具備することを特徴とする指輪である。
【０００９】
また、前記一方の端部側と前記他方の端部側との間に、所要移動位置の複数位置で係止する係止部が設けられていることを特徴とする。これにより、一端設定した指輪のサイズが変化することがなく、指輪を装着した指から指輪が脱落するおそれがなくなる。
【００１０】
また、前記一方の端部側と前記他方の端部側とが幅方向に重なり合うことを特徴とする。
さらには、前記一方の端部側と前記他方の端部側とが厚み方向に重なり合うことを特徴とする。
これらにより、指輪のデザインに適したリング部の拡径、縮径の形態を選択することが可能になり、指輪のデザインの自由度が大幅に向上する。
【００１１】
また、前記台座部は、前記重合部の外表面側を覆う台板と、該台板の両縁部から前記重合部の内表面側に延出した後互いに対向する方向に曲折されて、前記台板との間で前記重合部を挟み込む曲折片とを具備することを特徴とする。
さらに、前記リング部の前記重合部以外の部分には前記重合部よりも幅狭な幅狭部が設けられ、前記台座部が前記両曲折片間の隙間に該幅狭部が進入するようにして前記リング部に当てがわれると共に、前記重合部方向にスライドさせることにより、前記台板と前記曲折片との間で前記重合部を挟み込むことを特徴とする。
これらにより、台座部により重合部の重合状態を隠すことができるので、一般の指輪との外観上の差異が生じない。
【００１２】
また、前記曲折片は前記幅狭部に嵌合可能に形成されていて、前記台座部は前記幅狭部の位置のみにおいて前記リング部に対して着脱可能に形成されていることを特徴とする。
さらに、前記曲折片と前記重合部との間に、前記台座部を固定する係合部が設けられていることを特徴とする。
【００１３】
また、前記係合部は、前記曲折片のうちの少なくとも一方の曲折片に設けられた切欠部と、前記重合部の内壁面側に設けられ、前記切欠部に進入するストッパとからなることを特徴とする。
また、前記ストッパは、前記重合部に一端側において回動可能に設けられた爪片と、該爪片の他端側を前記重合部の内壁面方向に付勢する付勢手段とを具備し、該付勢手段により前記爪片を前記切欠部に弾性的に係入させることを特徴とする。
また、前記付勢手段はシリコンゴムであることを特徴とする。
これらにより、台座部がリング部から不意に外れてしまうおそれが大幅に軽減される。
【発明の効果】
【００１４】
本発明にかかる指輪によれば、簡単な操作で指輪のサイズを自由に設定することが可能になる。これにより、指輪のプレゼントや、受け継ぎ等を円滑に行うことができる。
また、台座部とリング部が別体に設けられているので、台座部のみ、または、リング部のみを交換することができるので、ＴＰＯに合わせた指輪の選択が可能になる。また同様の理由により、少ない費用により多数の指輪の形態を楽しむことが可能になる。
さらには、製造工場や販売店においてはサイズ違いの同一デザインの指輪を準備する必要がなくなるため、適正な指輪の販売価格を低価格に設定することが可能になる。
【発明を実施するための最良の形態】
【００１５】
以下、本発明に係る指輪の実施の形態について、添付図面に基づいて詳細に説明する。
図１は、指輪１０の概略図である。図１、図２、図３に示すように、指輪１０は、金属からなる帯条材の一方の端部側２０と他方の端部側２２とが重なり合うようにリング状に形成され、両端部２０、２２が周方向に相対的に移動可能に設けられることにより、拡径、縮径可能に設けられたリング部２４（図２）と、リング部２４の両端側２０、２２の重合部２６を覆うようにしてリング部２４に着脱可能に設けられた台座部２８とを具備する。台座部２８には、宝石等の適宜な装飾部２９が取り付けられる。
【００１６】
本実施例におけるリング部２４は、銀、金、白金、これらの合金等といった貴金属で形成されているが、ステンレスやチタン等の他の金属によりリング部２４が形成されても良い。
リング部２４は、図２に示すように、その両端部２０、２２が幅方向に重なり合うようになっていて、その両端部２０、２２の対向面に凹凸からなる係止部３０が設けられている。
この係止部３０は、一方の端部側２０に設けられた１つの係止爪３１と、他方の端部側２２に設けられ、係止爪３１が係止する鋸刃状の係止爪３２からなる。したがって、両端部２０、２２を周方向に相対的に移動させて、係止爪３１を係止爪３２の所要位置に係止させることによって、リング部２４の拡径、縮径（リング径の調節）ができる。なお、図示しないが、係止爪３２の近傍に指輪１０のサイズを示す記号や数字を表示してもよい。
係止爪３１側も複数個設けてもよい。
また、係止爪３１、３２の形状は、波形状であってもよいし、特には限定されない。
【００１７】
リング部２４には、重合部２６以外の部分に、重合部２６の幅Ｗ１よりも幅Ｗ２が狭い幅狭部３４が形成されている。
また、重合部２６の内側面にはストッパ（係合部）３６が形成されている。ストッパ３６については後述する。
【００１８】
台座部２８は、側面から見た形状が、リング部２４の円弧にほぼ倣う、円弧状をなしている。
台座部２８は、図３、図４に示されるように、重合部２６の外壁面側を覆う台板３８と、台板３８の両縁部から重合部２６の内表面側に互いに対向する方向に曲折されて、台板３８との間で重合部を挟み込む曲折片４０ａ、４０ｂを有する。
両曲折片４０ａ、４０ｂ間の間隔Ｗ３（図４）は、重合部２６の幅Ｗ１とほぼ同一幅か、若干大きめの幅に設定されている。
また、両曲折片４０ａ、４０ｂと台板３８との間隔Ｗ４（図４）は、重合部２６の厚みとほぼ等しくなるように設けられている。
また、両曲折片４０ａ、４０ｂの先端部間の隙間の幅Ｗ５（図３）は、リング部２４の幅狭部３４の幅Ｗ２と同幅以上となるように設定されている。
【００１９】
台座部２８は、リング部２４の幅狭部３４に外側から当てがうようにして装着される。すなわち、台座部２８は、両曲折片４０ａ、４０ｂ間の隙間に幅狭部３４が進入するようにしてリング部２４に当てがわれる。そして、台座部２８は、重合部２６方向にスライドされることにより、台板３８と両曲折片４０ａ、４０ｂとの間で重合部２６を表裏から挟み込むようにしてリング部２４に装着されるのである。
【００２０】
その際、台座部２８は、重合部２６の外側を完全に覆う。したがって、重合部２６が外側から見えることはなく、指輪１０の体裁を損ねることはない。
また、上記幅、Ｗ１、Ｗ３、Ｗ４等が上記の寸法に設定されていることから、台座部２８は重合部２６に密に装着される。
なお、リング部２４や台座部２８の幅方向における断面形状は上記に限定されることはなく、要は、台座部２８が重合部２６上にスライドされた際、台板３８と両曲折片４０ａ、４０ｂとで重合部２６を密に挟み込むような断面形状になっていればよい。例えば、リング部２４の断面形状は、扁平な楕円状などが考えられ、台座部２８はこれに対応した内側面形状とすればよい。
【００２１】
次にストッパ３６の構造について図７、図８により説明する。
ストッパ３６は、台座部２８が重合部２６上に装着された位置で、台座部２８を固定するためのものである。
ストッパ３６は、一方の端部側２０の内壁面側に組み込まれ、軸４２を中心として回動し、一方側に爪片４３を有し、軸４２を挟んで爪片４３と反対側となる側に突片４４を有する（図８）。
【００２２】
図７は、ストッパ３６の組み込み構造を示す。リング部２４の一方の端部側２０の内壁面には、ストッパ３６の軸４２および突片４４を収納可能な凹部４５が形成されている。
軸４２および突片４４が凹部４５内に収納された後、軸４２を覆うようにして凹部４５の一部を閉塞する板材４７、４７を一方の端部側２０の内壁面に蝋付けして固定する。なお、軸４２を覆うための凹部４５の一部を閉塞させる他の方法としては、リング部２４を絞り加工する等の方法も採用することができる。
これにより、ストッパ３６は、凹部４５からの抜け止めがなされると共に、リング部２４の長さ方向と直角な面内で、軸４２を中心として回動自在となる。
【００２３】
図８において、４８はシリコンゴム等からなる弾性部材（付勢部材）であり、凹部４５内に配設され、図８上において、突片４４を反時針回転方向に弾性的に押圧する。これにより、爪片４３は、一方の端部側２０の内壁面に向けて押圧されることになる。
弾性部材４８は、凹部４５底面に開口する孔４９から凹部４５内に強制的に押し込むようにして配設することができる。
あるいは、予め弾性部材４８を凹部４５内に収納した後、上記のようにしてストッパ３６を凹部４５に組み付けるようにしてもよい。
一方、図３に示すように、台座部２８の一方の曲折片４０ａには、爪片４３が進入可能な切欠４１が設けてある。
【００２４】
したがって、上記のように、台座部２８をリング部２４に当てがい、重合部２６方向にスライドさせる際、一方の曲折片４０ａの端面がストッパ３６の端面に当接する位置まで至ったら、指等で爪片４３を弾性部材４８の付勢力に抗して持ち上げ、爪片４３を曲折片４８ａ上に乗り上げさせ（図５、図９にその状態を示す）、その状態で、さらに台座部２８をスライドさせると、爪片４３が切欠４１に至り、爪片４３が弾性部材４８の付勢力により回動して、切欠４１内に係入する状態となる（図６にその状態を示す）。これにより、台座部２８が重合部２６を覆う位置で固定される。台座部２８を取り外す場合には、爪片４３を持ち上げるようにすることで、台座部２８をスライドさせることができ、これにより取り外すことができる。
【００２５】
上記のように、リング部２４の径の調節が自在に行える。また、台座部２８がリング部２４から取り外せるので、台座部２８を取り替えることによって、種々の宝石などを楽しむことができる。
【００２６】
重合部２６を覆った位置で台座部２８を固定させる係合部の構造は上記ストッパ機構に限定されない。たとえば、上記ストッパ３６の代わりに、リング部２４の一方の端部２０の内壁に半球状の小突起（図示せず）を設けておき、この小突起が切欠４１に嵌り込むようにしてもよい。したがって、この場合、切欠４１の幅は小突起が嵌り合うだけの幅狭なものとする。あるいは、この場合、切欠４１の代わりに、曲折片４０ａの内面側に小凹部（図示せず）を設けておき、小突起がこの小凹部に嵌り込むようにしてもよい。小突起を曲折片４０ａの内壁面側に、小凹部を一方の端部２０側に設けてもよい。
【００２７】
これら、小突起や小凹部を、曲折片４０ａや一方の端部側２０に設ける位置は特に限定されるものではない。要は、台座部２８をスライドさせて重合部２６上に至った際に、両者が係合する位置にあればよい。  
また、小突起は、ボール状に形成して、曲折片４０ａや一方の端部側に設けた穴（図示せず）内に、一部が外表面から突出するように設けて、かつ穴内でスプリングによって弾性的に受けて、ボールが穴内に突出入する公知の機構を採用するようにしてもよい。
【００２８】
以上に、実施例に基づいて詳細に説明してきたが、本発明にかかる指輪は以上に説明した実施例の形態に限定されるものではなく、発明の要旨を変更しない範囲において各種の変更をした場合であっても、本発明の技術的範囲に属するのは言うまでもない。以下に本発明にかかる指輪の他の実施の形態について説明する。
【００２９】
図１０は他の実施の形態を示す。
本実施の形態では、リング部２４の一方の端部側２０と他方の端部側２２とが、厚み方向に重なり合うようにしている。他の構成は上記実施の形態と同様である。本実施の形態でも、台座部２８が重合部２６を覆う位置までスライドされた際、両者を固定する係合部（図示せず）を設けるようにするとよい。
【００３０】
図１１は、さらに他の実施の形態を示す。
本実施の形態では、曲折片４０ａ、４０ｂを内方に向けて曲折するのではなく、曲折片４０ａ、４０ｂの内壁に、両端側に開口する凹溝５０を設け、リング部２４の一方の端部２０と他方の端部２２に、凹溝５０に嵌り合う突条５１を設けて、台座部２８がリング部２４上でスライド可能となるようにしている。
突条５１は、例えば重合部２６の部分だけに設けるようにすることで、台座部２８を突条５１の無い部位でリング部２４に当てがい、重合部２６方向にスライドさせて、突条５１と凹溝５０とを係合させることにより、台座部２８を重合部２６上に装着することができる。
本実施の形態でも、台座部２８とリング部２４とを固定する、小突起と小凹部のような適宜な係合部（図示せず）を設けるようにするとよい。
【００３１】
図１２は、さらに他の実施の形態を示す。台座部２８の台板３８により形成される円弧部３８ｇの曲率Ｒ１は、曲折片４０ａの対向端により形成される円弧部４０ｎの曲率Ｒ２より小径にすることが好ましい。これにより、台座部２８の両端部におけるクリアランスＣに比べ、台座部２８の中央部におけるクリアランスＤを大きくすることができる。したがって、指輪１０のサイズを最小サイズまたは最大サイズに設定したいずれの場合であっても、リング部２４の端部２０、２２と台座部２８との接触による端部２０、２２の擦り傷の発生を防ぐことができるため、指輪１０のコンディションを維持しながら長期間にわたって使用することが可能になる。
【産業上の利用可能性】
【００３２】
本発明は、装飾具の一例として指輪を具体例として説明しているが、指輪と同様に長さ調整させて用いる他の装飾具にも本発明を適用することができるのはもちろんである。具体的には、ブレスレットやアンクレット、ベルトのバックル、時計等に本発明を適用すれば、長さ調整が簡単に行えると共に、装飾体の交換も自在に行うことが可能になり、少ない費用で多様な装飾具を楽しむことが可能になる。
【図面の簡単な説明】
【００３３】
【図１】本発明にかかる指輪の概略図である。
【図２】リング部の斜視図である。
【図３】台座部の底面図である。
【図４】台座部の側面図である。
【図５】リング部の台座部を取り付けている状態の斜視図である。
【図６】台座部がリング部に取り付けられた状態の斜視図である。
【図７】ストッパの組み込み構造を示す斜視図である。
【図８】図２のＡ−Ａ線における断面図である。
【図９】図５のＢ−Ｂ線における断面図である。
【図１０】他の実施の形態を示す概略図である。
【図１１】他の実施の形態を示す概略図である。
【図１２】他の実施の形態を示す断面図である。
【符号の説明】
【００３４】
１０  指輪
２０、２２  端部
２４  リング部
２６  重合部
２８  台座部
３０  係止部
３１  係止爪
３２  係止爪
３４  幅狭部
３６  ストッパ
３８  台板
４０ａ  曲折片
４１  切欠
４２  軸
４３  爪片
４４  突片
４５  凹部
４７  板材
４８ａ  曲折片
４８  弾性部材
【図１】
2005185815.tif 000003
【図２】
2005185815.tif 000004
【図３】
2005185815.tif 000005
【図４】
2005185815.tif 000006
【図５】
2005185815.tif 000007
【図６】
2005185815.tif 000008
【図７】
2005185815.tif 000009
【図８】
2005185815.tif 000010
【図９】
2005185815.tif 000011
【図１０】
2005185815.tif 000012
【図１１】
2005185815.tif 000013
【図１２】
2005185815.tif 000014